(57)【要約】【課題】乗場乗客が、待ち時間と降り客の有無の判定を直感的に行えるエレベータの乗場案内装置を提案する。【解決手段】降車客の有無を表示する降車客表示部と、乗りかごの上下方向に並べて配置された複数の第１の発光部を有し、乗場扉における降車客表示部の上側に当該降車客表示部に近接して配設された上側待ち時間表示部と、乗りかごの上下方向に並べて複数の第２の発光部を有し、乗場扉における降車客表示部の下側に当該降車客表示部に近接して設けられた下側待ち時間表示部と、降車客表示部並びに上側待ち時間表示部及び下側待ち時間表示部を制御する制御装置とを備え、制御装置は、呼び釦の操作に応じて、上側待ち時間表示部又は下側待ち時間制御部に、乗りかごが当該乗場に到着するまでの待ち時間及び乗りかごの進行方向を第１又は第２の発光部の発光状態で表示させ、当該乗りかごから乗場への降車客の有無を降車客表示部に表示させるようにした。【選択図】図２
2018154420.tif 000002
【特許請求の範囲】
【請求項１】
エレベータにおいて、
前記エレベータの乗場に配置され、乗りかごを呼ぶ際に乗客が操作する呼び釦と、
前記乗場における前記乗りかごへの乗降口に設置された乗場扉と、
前記乗場扉に設けられ、前記乗りかごから当該乗場への降車客の有無を表示する降車客表示部と、
前記乗りかごの上下方向に並べて配置された複数の第１の発光部を有し、前記乗場扉における前記降車客表示部の上側に当該降車客表示部に近接して配設された上側待ち時間表示部と、
前記乗りかごの前記上下方向に並べて複数の第２の発光部を有し、前記乗場扉における前記降車客表示部の下側に当該降車客表示部に近接して設けられた下側待ち時間表示部と、
前記降車客表示部並びに前記上側待ち時間表示部及び前記下側待ち時間表示部を制御する制御装置と
を備え、
前記制御装置は、
前記呼び釦の操作に応じて、前記上側待ち時間表示部又は前記下側待ち時間制御部に、前記乗りかごが当該乗場に到着するまでの待ち時間及び前記乗りかごの進行方向を前記第１又は第２の発光部の発光状態で表示させ、当該乗りかごから前記乗場への降車客の有無を前記降車客表示部に表示させる
ことを特徴とするエレベータ。
【請求項２】
前記乗場扉は、開方向又は閉方向にスライド移動する開閉扉を備え、
前記降車客表示部並びに前記上側待ち時間表示部及び前記下側待ち時間表示部は、前記開閉扉における前記閉方向の端部の中央高さ位置に設けられた
ことを特徴とする請求項１に記載のエレベータ。
【請求項３】
前記制御装置は、
前記乗りかごが下降しながら前記乗場に近づいてくる場合には、前記上側待ち時間表示部の各前記第１の発光部のうち、前記乗りかごが当該乗場に到着するまでの時間に応じた前記第１の発光部が点滅発光させると共に、点滅発光させる前記第１の発光部を前記降車客表示部に順番に近づけるように、前記上側待ち時間表示の表示状態を制御し、
前記乗りかごが上昇しながら前記乗場に近づいてくる場合には、前記下側待ち時間表示部の各前記第２の発光部のうち、前記乗りかごが当該乗場に到着するまでの時間に応じた前記第２の発光部が点滅発光させると共に、点滅発光させる前記第２の発光部を前記降車客表示部に順番に近づけるように、前記上側待ち時間表示の表示状態を制御する
ことを特徴とする請求項２に記載のエレベータ。
【請求項４】
前記乗りかごに設けられ、当該乗りかごの乗客が行先階を指定するための行先階釦と、
前記乗りかごの床下に設けられ、当該乗りかご内の荷重を検知する荷重センサと
をさらに備え、
前記制御装置は、
前記荷重センサが荷重を検知し、かつ、前記乗りかご内の前記行先階釦が操作されて階層が指定されている場合に、当該階層の前記乗場の前記乗場扉に設けられた前記降車客表示部に、前記降車客がいることを表示させる
ことを特徴とする請求項３に記載のエレベータ。
【請求項５】
前記第１及び第２の発光部は、前記乗りかごの進行方向を表す形状に形成された
ことを特徴とする請求項１に記載のエレベータ。
【請求項６】
エレベータの乗場に配置され、当該乗場において乗りかごの到着を待つ乗客を案内するエレベータ乗場案内装置において、
前記乗場には、
前記乗りかごを呼ぶ際に前記乗客が操作する呼び釦と、
前記乗りかごへの乗降口に設置された乗場扉とが設けられ、
前記乗りかごから当該乗場への降車客の有無を表示する降車客表示部と、
前記乗りかごの上下方向に並べて配置された複数の第１の発光部を有し、前記乗場扉における前記降車客表示部の上側に当該降車客表示部に近接して配設された上側待ち時間表示部と、
前記乗りかごの前記上下方向に並べて複数の第２の発光部を有し、前記乗場扉における前記降車客表示部の下側に当該降車客表示部に近接して設けられた下側待ち時間表示部と
前記降車客表示部並びに前記上側待ち時間表示部及び前記下側待ち時間表示部を制御する制御装置と
を備え、
前記制御装置は、
前記呼び釦の操作に応じて、前記上側待ち時間表示部又は前記下側待ち時間制御部に、前記乗りかごが当該乗場に到着するまでの待ち時間及び前記乗りかごの進行方向を前記第１又は第２の発光部の発光状態で表示させ、当該乗りかごから前記乗場への降車客の有無を前記降車客表示部に表示させる
ことを特徴とするエレベータ乗場案内装置。
【請求項７】
エレベータの乗場における乗りかごへの乗降口に設置された乗場扉において、
前記乗場には、前記乗りかごを呼ぶ際に乗客が操作する呼び釦が配置され、
前記乗りかごから当該乗場への降車客の有無を表示する降車客表示部と、
前記乗りかごの上下方向に並べて配置された複数の第１の発光部を有し、前記乗場扉における前記降車客表示部の上側に当該降車客表示部に近接して配設され、制御装置によって制御されて待ち時間を表示する上側待ち時間表示部と、
前記乗りかごの前記上下方向に並べて複数の第２の発光部を有し、前記乗場扉における前記降車客表示部の下側に当該降車客表示部に近接して設けられ、制御装置によって制御されて待ち時間を表示する下側待ち時間表示部と
を備えることを特徴とする乗場扉。
【発明の詳細な説明】
【技術分野】
【０００１】
本発明は、エレベータ、エレベータ乗場案内装置及び乗場扉に関し、例えばエレベータホール（以下、これを乗場と呼ぶ）で乗りかごの到着を待つ乗客に対して乗りかごの到着時間等の情報を提供する機能を有するエレベータに適用して好適なものである。
【背景技術】
【０００２】
従来、エレベータとして、乗場で乗りかごの到着を待つ乗客に対して、乗りかごのおおよその到着時間や降車客の有無を知らせるようになされたものが提案されている。
【０００３】
例えば、特許文献１には、複数のエレベータが設置された乗場に各エレベータに共通の待ち時間表示部を１つ設置し、何れか１つのエレベータの乗りかごが乗場に到着するまでの待ち時間を待ち時間表示部に表示する発明が開示されている。
【０００４】
また特許文献２には、防犯窓が設けられたエレベータにおいて、乗場扉の防犯窓に設けられた発光装置の発光状態によって、乗場にいる乗客に対して降車客の有無を報知する発明が開示されている。
【０００５】
このようなエレベータによれば、乗りかごがいつ到着するか分からないことに起因する乗客の不安感や苛立ちを抑制したり、到着した乗りかごに搭乗しようとする乗客と、その乗りかごから降車しようとする降車客との接触や衝突の発生を防止することができる。
【先行技術文献】
【特許文献】
【０００６】
【特許文献１】特開平０８−８１１４８号公報
【特許文献２】特開２０１１−１３６７７５号公報
【発明の概要】
【発明が解決しようとする課題】
【０００７】
しかしながら、特許文献１に開示された発明によると、複数のエレベータに対して１つの待ち時間表示部が設置されるだけであるため、待ち時間表示部の表示だけではどのエレベータの乗りかごが到着するのかを乗場にいる乗客が判定できない問題があった。
【０００８】
また、例えば、特許文献１及び特許文献２の発明を組み合わせたとしても、乗場で乗りかごを待つ乗客は、待ち時間表示部及び昇降路内の乗りかごの防犯窓に設けられた発光装置の双方を目視しなければエレベータの運行状況及び降車客の有無の双方の情報を取得することができず、これらの情報を一括して直感的に把握することができないという問題がある。
【０００９】
本発明は以上の点を考慮してなされたもので、乗場において乗客が乗りかごの運行状況及び降車客の有無を一括して直感的に把握し得るエレベータ、エレベータ乗場案内装置及び乗場扉を提案しようとするものである。
【課題を解決するための手段】
【００１０】
かかる課題を解決するため本発明においては、エレベータにおいて、エレベータの乗場に配置され、乗りかごを呼ぶ際に乗客が操作する呼び釦と、乗場における乗りかごへの乗降口に設置された乗場扉と、乗場扉に設けられ、乗りかごから当該乗場への降車客の有無を表示する降車客表示部と、乗りかごの上下方向に並べて配置された複数の第１の発光部を有し、乗場扉における降車客表示部の上側に当該降車客表示部に近接して配設された上側待ち時間表示部と、乗りかごの上下方向に並べて複数の第２の発光部を有し、乗場扉における降車客表示部の下側に当該降車客表示部に近接して設けられた下側待ち時間表示部と、降車客表示部並びに上側待ち時間表示部及び下側待ち時間表示部を制御する制御装置とを備え、制御装置は、呼び釦の操作に応じて、上側待ち時間表示部又は下側待ち時間制御部に、乗りかごが当該乗場に到着するまでの待ち時間及び乗りかごの進行方向を第１又は第２の発光部の発光状態で表示させ、当該乗りかごから乗場への降車客の有無を降車客表示部に表示させるようにした。
【００１１】
また本発明においては、エレベータの乗場に配置され、当該乗場において乗りかごの到着を待つ乗客を案内するエレベータ乗場案内装置において、乗場には、乗りかごを呼ぶ際に乗客が操作する呼び釦と、乗りかごへの乗降口に設置された乗場扉とが設けられ、乗りかごから当該乗場への降車客の有無を表示する降車客表示部と、乗りかごの上下方向に並べて配置された複数の第１の発光部を有し、乗場扉における降車客表示部の上側に当該降車客表示部に近接して配設された上側待ち時間表示部と、乗りかごの上下方向に並べて複数の第２の発光部を有し、乗場扉における降車客表示部の下側に当該降車客表示部に近接して設けられた下側待ち時間表示部と降車客表示部並びに上側待ち時間表示部及び下側待ち時間表示部を制御する制御装置とを備え、制御装置は、呼び釦の操作に応じて、上側待ち時間表示部又は下側待ち時間制御部に、乗りかごが当該乗場に到着するまでの待ち時間及び乗りかごの進行方向を第１又は第２の発光部の発光状態で表示させ、当該乗りかごから乗場への降車客の有無を降車客表示部に表示させるようにした。
【００１２】
さらに本発明においては、エレベータの乗場における乗りかごへの乗降口に設置された乗場扉において、乗場には、乗りかごを呼ぶ際に乗客が操作する呼び釦が配置され、乗りかごから当該乗場への降車客の有無を表示する降車客表示部と、乗りかごの上下方向に並べて配置された複数の第１の発光部を有し、乗場扉における降車客表示部の上側に当該降車客表示部に近接して配設され、制御装置によって制御されて待ち時間を表示する上側待ち時間表示部と、乗りかごの上下方向に並べて複数の第２の発光部を有し、乗場扉における降車客表示部の下側に当該降車客表示部に近接して設けられ、制御装置によって制御されて待ち時間を表示する下側待ち時間表示部とを備えるようにした。
【発明の効果】
【００１３】
本発明によれば、乗場乗客が乗りかごの運行状況及び降車客の有無を直感的に把握し得るエレベータ、エレベータ乗場案内装置及び乗場扉を実現できる。
【図面の簡単な説明】
【００１４】
【図１】本実施の形態によるエレベータの概略構造の要部を示した略線図である。
【図２】本実施の形態によるエレベータの乗場扉の略線的な正面図である。
【図３】本実施の形態によるエレベータのブロック図である。
【図４】運行状況及び降車客の有無案内処理の処理手順を示すフローチャートである。
【図５】他の実施の形態による乗場扉の略線的な正面図である。
【図６】他の実施の形態によるエレベータ乗場案内装置の略線的な正面図である。
【発明を実施するための形態】
【００１５】
（１）本実施の形態によるエレベータの構成
図１において、１は全体として本実施の形態によるエレベータを示す。このエレベータ１は、建物に設置された昇降路９内において、各階層にそれぞれ設けられた乗場１１間を乗りかご２が昇降運転するものである。
【００１６】
乗りかご２は、後述する乗場扉１３と一体に開閉するかご扉を有する筐体であり、各階層とそれぞれ対応付けられた複数の行先階釦４Ａを有するかご内操作盤４がその内部の所定位置に設置されている。また乗りかご２の床下には、乗りかご２内の荷重を検知するための荷重センサ３が設けられている。
【００１７】
この乗りかご２は、一端側に釣合錘５が取り付けられた主ロープ８の他端側に取り付けられている。また主ロープ８は、巻上機６に巻き付けられている。巻上機６は、乗りかご２を釣瓶式に昇降駆動する昇降機構であり、昇降路９の上部に設けられた機械室に、乗りかご２の昇降運転を制御する制御装置７と共に設置される。
【００１８】
制御装置７は、エレベータ１の運転を制御するコンピュータ装置であり、乗りかご２に設けられたかご内操作盤４や乗場１１に設けられた乗場操作盤１２に対する乗客の操作に応じて乗りかご２を昇降させるよう巻上機６を制御する。
【００１９】
また制御装置７は、乗りかご２とテールコード１０で接続されており、荷重センサ３が検知した乗りかご２内の荷重を表す情報や、かご内操作盤４に対する乗客の操作内容を表す情報等を、テールコード１０を介して取得する。
【００２０】
一方、各階層の乗場１１には、図２に示すように、乗場操作盤１２及び乗場扉１３が設置されている。乗場操作盤１２には、上昇する乗りかご２を呼ぶための上階指定釦１２Ａと、降下する乗りかご２を呼ぶための下階指定釦１２Ｂ（以下、これらをまとめて呼び釦１２Ｃと呼ぶ）とが配設されている。なお最上階の乗場操作盤１２には上階指定釦１２Ａが配設されず、最下階の乗場操作盤１２には下階指定釦１２Ｂが配設されない。
【００２１】
乗場扉１３は、乗りかご２への乗降口に設けられた両開き型の扉装置であり、乗場１１から見て左方向に位置する左側開閉扉１３Ａと、乗場１１から見て右方向に位置する右側開閉扉１３Ｂから構成される。
【００２２】
そして左側開閉扉１３Ａの右端中央部には、左側降車客表示部１５Ａが設けられている。この左側降車客表示部１５Ａは、例えば、ガラスや強化プラスチック等からなる半透明のカバー部材の内部に発光体が配設されて構成される。この場合、乗場側から見たカバー部材の表面は、左側開閉扉１３Ａの他の表面部分と面一に形成されている。また発光体としては、例えばＬＥＤ（Light Emitting Diode）等の赤色及び青色の２色をそれぞれ独立して発光可能な発光体又はそれぞれ赤色又は青色を発光する一対の発光体が適用される。
【００２３】
また左側開閉扉１３Ａにおける左側降車客表示部１５Ａの上側には、左上側待ち時間表示部１６Ａが設けられている。この左上側待ち時間表示部１６Ａは、強化プラスチック等からなる透明のカバー部材１６ＡＡ内に、上下方向（乗りかご２の昇降方向）と平行に複数の円形状の発光部１６ＡＢが配設されて構成されている。また発光部１６ＡＢは、半透明の内部カバーの内側に例えば青色ＬＥＤ等の発光体が配設されて構成される。この場合、乗場側から見たカバー部材１６ＡＡの表面も、左側開閉扉１３Ａの他の表面部分と面一に形成されている。
【００２４】
さらに左側開閉扉１３Ａにおける左側降車客表示部１５Ａの下側には、左下側待ち時間表示部１８Ａが設けられている。この左下側待ち時間表示部１８Ａは、左上側待ち時間表示部１６Ａと同様に、強化プラスチック等からなる透明のカバー部材１８ＡＡ内に、上下方向と平行に複数（図２においては４つ）の円形状の発光部１８ＡＢが配設されて構成されている。また発光部１８ＡＢは、半透明の内部カバーの内側に例えば青色ＬＥＤ等の発光体が配設されて構成される。この場合、乗場側から見たカバー部材１８ＡＡの表面も、左側開閉扉１３Ａの他の表面部分と面一に形成されている。
【００２５】
一方、右側開閉扉１３Ｂの左端中央部には、左側開閉扉１３Ａの左側降車客表示部１５Ａと左右対称の構造を有する右側降車客表示部１５Ｂが設けられている。この右側降車客表示部１５Ｂは、左側降車客表示部１５Ａと同じ高さ位置に形成されており、これにより乗場扉１３が閉じた状態において、左側降車客表示部１５Ａ及び右側降車客表示部１５Ｂによって長方形状の降車客表示部１５が形成される。
【００２６】
後述のように、この降車客表示部１５（左側降車客表示部１５Ａ及び右側降車客表示部１５Ｂ）は、乗場１１で乗りかご２の到着を待つ乗客に対して、到着した乗りかご２からその乗場１１に降車する乗客（以下、これを降車客と呼ぶ）がいるか否かを発光色によって表示することにより、その乗場１１の乗客が乗りかご２に乗車する際に乗りかご２から降車する降車客と衝突しないように注意を促すための表示装置として利用される。
【００２７】
また右側開閉扉１３Ｂにおける右側降車客表示部１５Ｂの上側には、左上側待ち時間表示部１６Ａと左右対称の構造を有する右上側待ち時間表示部１６Ｂが設けられている。実際上、右上側待ち時間表示部１６Ｂは、強化プラスチック等からなる透明のカバー部材１６ＢＡ内に、乗りかご２の上下方向と平行に複数の円形状の発光部１６ＢＢが配設されて構成されている。また発光部１６ＢＢは、半透明の内部カバーの内側に例えば青色ＬＥＤ等の発光体が配設されて構成される。この場合、乗場側から見たカバー部材１６ＢＡの表面は、右側開閉扉１３Ｂの他の表面部分と面一に形成されている。
【００２８】
この右上側待ち時間表示部１６Ｂは、左上側待ち時間表示部１６Ａと同じ高さ位置に形成されており、これにより乗場扉１３が閉じた状態において、左上側待ち時間表示部１６Ａ及び右上側待ち時間表示部１６Ｂによって半トラック形状の上側待ち時間表示部１６が形成される。
【００２９】
さらに右側開閉扉１３Ｂにおける右側降車客表示部１５Ｂの下側には、左下側待ち時間表示部１８Ａと左右対称の構造を有する右下側待ち時間表示部１８Ｂが設けられている。実際上、右下側待ち時間表示部１８Ｂは、強化プラスチック等からなる透明のカバー部材１８ＢＡ内に、乗りかご２の上下方向と平行に複数の円形状の発光部１８ＢＢが配設されて構成されている。また発光部１８ＢＢは、半透明の内部カバーの内側に例えば青色ＬＥＤ等の発光体が配設されて構成される。この場合、乗場側から見たカバー部材１８ＢＡの表面も、右側開閉扉１３Ｂの他の表面部分と面一に形成されている。
【００３０】
この右下側待ち時間表示部１８Ｂは、左下側待ち時間表示部１８Ａと同じ高さ位置に形成されており、これにより乗場扉１３が閉じた状態において、左下側待ち時間表示部１８Ａ及び右下側待ち時間表示部１８Ｂによって半トラック形状の下側待ち時間表示部１８が形成される。
【００３１】
後述のように、これら上側待ち時間表示部１６（左上側待ち時間表示部１６Ａ及び右上側待ち時間表示部１６Ｂ）と、下側待ち時間表示部１８（左下側待ち時間表示部１８Ａ及び右下側待ち時間表示部１８Ｂ）とは、そのエレベータ１の乗りかご２の進行方向及びその乗りかご２がその乗場１１に到着するまでの時間を表示するために利用される。
【００３２】
図３は、制御装置７の概略構成を示す。制御装置７は、ＣＰＵ（Central Processing Unit）２０及びメモリ２１等の情報処理資源を備えて構成される。そしてメモリ２１には、荷重検出部２３、行先階検出部２４、乗場呼び検出部２５、待ち時間演算部２６、待ち時間表示制御部２７、降車客表示制御部２８及び駆動制御部２９を機能部として備える乗場案内装置制御プログラム２２が格納されている。
【００３３】
荷重検出部２３は、乗りかご２の床下に配設された上述の荷重センサ３から出力されたセンサ情報に基づいて、その乗りかご２内の荷重を検出する機能を有する機能部である。また行先階検出部２４は、乗りかご２内の乗客によるかご内操作盤４の行先階釦４Ａの押圧操作に応じて、その乗客により指定された行先階を検出する機能を有する機能部である。
【００３４】
乗場呼び検出部２５は、乗場１１にいる乗客による乗場操作盤１２の上階指定釦１２Ａ又は下階指定釦１２Ｂの押圧操作に応じて、その乗客により上昇する乗りかご２や下降する乗りかご２が呼ばれたことを検出する機能を有する機能部である。
【００３５】
また待ち時間演算部２６は、呼び釦１２Ｃが押圧操作された乗場１１に、要求された進行方向の乗りかご２が到着するまでの待ち時間を算出する機能を有する機能部である。
【００３６】
一方、待ち時間表示制御部２７は、待ち時間演算部２６により算出された待ち時間と、乗りかご２の進行方向とを、対応する階層の乗場１１における対応するエレベータ１の乗場扉１３に設けられた上述の上側待ち時間表示部１６又は下側待ち時間表示部１８に表示させる機能を有する機能部である。
【００３７】
実際上、待ち時間表示制御部２７は、その乗場１１に停車する乗りかご２が下降しながらその乗場１１に近づいている場合、上側待ち時間表示部１６（左上側待ち時間表示部１６Ａ及び右上側待ち時間表示部１６Ｂ）の各内部カバー内の発光体を、上側に配置されたものから下側に配置されたものに向けて順番に、かつその乗場１１におけるその乗りかご２の待ち時間に応じた位置の発光体のみを発光させるように、左上側待ち時間表示部１６Ａ及び右上側待ち時間表示部１６Ｂの各内部カバー内の発光体の発光状態を制御する。
【００３８】
また待ち時間表示制御部２７は、その乗場１１に停車する乗りかご２が上昇しながらその乗場１１に近づいている場合、下側待ち時間表示部１８（左下側待ち時間表示部１８Ａ及び右下側待ち時間表示部１８Ｂ）の発光部１８ＡＢ，１８ＢＢを、下側に配置されたものから上側に配置されたものに向けて順番に、かつその乗場１１におけるその乗りかご２の待ち時間に応じた位置の発光体のみを発光させるように、左下側待ち時間表示部１８Ａ及び右下側待ち時間表示部１８Ｂの各内部カバー内の発光体の発光状態を制御する。
【００３９】
また降車客表示制御部２８は、乗場１１に乗りかご２が到着したエレベータの乗場扉１３が開く際に、降車客の有無を降車客表示部１５に表示させる機能を有する機能部である。
【００４０】
実際上、降車客表示制御部２８は、この乗りかご２が停車先の乗場１１の１つ手前の乗場１１を通過するタイミングで荷重検出部２３が検出した乗りかご２内の荷重及び行先階検出部２４が検出した当該乗りかご２内の乗客により指定された行先階に基づいて、降車客表示部１５の左側降車客表示部１５Ａ内及び右側降車客表示部１５Ｂ内の各発光体を青色にそれぞれ点滅発光させ、降車客がいると判定した場合には、これら左側降車客表示部１５Ａ内及び右側降車客表示部１５Ｂ内の各発光体をそれぞれ赤色に点滅発光させる。なお荷重検出部２３が検出した荷重に基づいた表示を行うことにより、降車客表示制御部２８は、いたずらや誤操作によって、乗りかご２内に乗客がいないにもかかわらず降車客表示部１５が赤色に点滅発光するといった誤表示を防止するためである。
【００４１】
駆動制御部２９は、いずれかの階層の乗場１１において乗場操作盤１２の上階指定釦１２Ａ又は下階指定釦１２Ｂが押圧操作されたことを乗場呼び検出部２５が検出したときに、その乗場１１にどのエレベータ１の乗りかご２を割り当てるかを決定し、決定結果に基づいて巻上機６を制御することにより、その乗場１１までそのエレベータ１の乗りかご２を移動させる機能を有する機能部である。
【００４２】
（２）乗場案内装置制御処理
次に、上述した乗場案内装置制御機能に関連して本制御装置７において実行される乗場案内装置制御処理について説明する。なお、以下においては、各種処理の処理主体を乗場案内装置制御プログラム２２の機能部として説明するが、実際上は、ＣＰＵ２０が乗場案内装置制御プログラム２２に基づいてその処理を実行することは言うまでもない。また以下においては、建物内に複数のエレベータ１が設置されているものとして説明する。
【００４３】
図４は、乗場案内装置制御プログラム２２の機能部により実行される乗場案内装置制御処理の処理の流れを示す。この乗場案内装置制御処理は、いずれかの階層の乗場１１において乗場操作盤１２の上階指定釦１２Ａ又は下階指定釦１２Ｂが押圧操作されたことを乗場呼び検出部２５が検出すると開始される。そして、乗場呼び検出部２５は、かかる押圧操作を検出すると、駆動制御部２９を呼び出す。
【００４４】
駆動制御部２９は、乗場呼び検出部２５により呼び出されると、乗場操作盤１２の上階指定釦１２Ａ又は下階指定釦１２Ｂが押圧操作された乗場（以下、これを対象乗場と呼ぶ）１１に乗りかご２を配車するエレベータ（以下、これを対象エレベータと呼ぶ）１を１つ決定する（Ｓ１）。また駆動制御部２９は、この後、待ち時間演算部２６を呼び出し、その対象エレベータ１の識別番号及びその対象エレベータ１の乗りかご２の進行方向を待ち時間演算部２６に通知する。
【００４５】
待ち時間演算部２６は、駆動制御部２９に呼び出されると、駆動制御部２９から識別番号が通知された対象エレベータ１の乗りかご２が対象乗場１１に到着するまでの時間を、その対象乗場１１で乗りかご２の到着を待つ乗客の待ち時間の初期値として算出する（Ｓ２）。
【００４６】
また待ち時間演算部２６は、対象エレベータ１の乗りかご２内の荷重を荷重検出部２３に問い合わせ、荷重検出部２３がその乗りかご２内の荷重を検出しているか否かを判定する（Ｓ３）。そして待ち時間演算部２６は、この判定で否定結果を得るとステップＳ６に進む。
【００４７】
これに対して待ち時間演算部２６は、ステップＳ３の判定で肯定結果を得ると、そのときその乗りかご２内の乗客が指定している行先階を行先階検出部２４に問合せ、その乗りかご２内の乗客が、その乗りかご２の現在位置から対象乗場１１の階層まで（経路内の）のいずれかの階層を行先階として指定しているか否か判定する（Ｓ４）。そして待ち時間演算部２６は、この判定で否定結果を得るとステップＳ６に進む。
【００４８】
これに対して待ち時間演算部２６は、ステップＳ４の判定で肯定結果を得ると、対象エレベータ１の乗りかご２が現在位置から対象乗場１１の階層に到達するまでの間に他の必要な階層にそれぞれ停車するために必要となる時間（以下、これを必要停車時間と呼ぶ）をも加味して、対象乗場１１の乗客の待ち時間を再計算する（Ｓ５）。
【００４９】
具体的に、待ち時間演算部２６は、ステップＳ４で取得した対象エレベータ１の乗りかご２内の乗客の行先階のうち、当該乗りかご２の現在位置から対象乗場１１の階層までに存在する行先階の数（以下、これを行先階数と呼ぶ）を算出する。また待ち時間演算部２６は、算出した行先階数に、１つの階層に停車するために余分に発生する乗りかご２の運行時間を乗算するようにして上述の必要停車時間を算出し、算出した必要停車時間をステップＳ２で算出した待ち時間の初期値に加算するようにして、必要停車時間をも加味した対象乗場１１の乗客の待ち時間を算出する。
【００５０】
この後、待ち時間演算部２６は、待ち時間表示制御部２７を呼び出し、待ち時間表示制御部２７に、そのときまでに算出した待ち時間（ステップＳ２又はステップＳ５で算出した待ち時間）と、ステップＳ１で駆動制御部２９から通知された対象エレベータ１の識別番号及びその乗りかご２の進行方向とを通知する。かくして、待ち時間演算部２６に呼び出された待ち時間表示制御部２７は、そのとき通知されたこれらの情報に基づいて、対象乗場１１における対象エレベータ１の乗場扉１３に配設された対応する上側待ち時間表示部１６又は下側待ち時間表示部１８に、そのとき待ち時間演算部２６から通知された待ち時間を表示させる（Ｓ６）。
【００５１】
具体的に、待ち時間表示制御部２７は、対象とするエレベータ１の乗りかご２の進行方向が下方向である場合には、上側待ち時間表示部１６（左上側待ち時間表示部１６Ａ及び右上側待ち時間表示部１６Ｂ）の各発光体１６ＡＢ，１６ＢＢのうち、そのとき待ち時間演算部２６から通知された待ち時間に応じた位置の発光体１６ＡＢ，１６ＢＢを点滅発光させるよう左上側待ち時間表示部１６Ａ及び右上側待ち時間表示部１６Ｂを制御する。
【００５２】
また待ち時間表示制御部２７は、対象とするエレベータ１の乗りかご２の進行方向が上方向である場合には、下側待ち時間表示部１８（左下側待ち時間表示部１８Ａ及び右下側待ち時間表示部１８Ｂ）の各発光体１８ＡＢ，１８ＢＢのうち、そのとき待ち時間演算部２６から通知された待ち時間に応じた位置の発光体１８ＡＢ，１８ＢＢを点滅発光させるよう左下側待ち時間表示部１８Ａ及び右下側待ち時間表示部１８Ｂを制御する。
【００５３】
そして待ち時間演算部２６は、この後、対象エレベータ１の乗りかご２の現在位置を駆動制御部２９に問い合わせ、当該乗りかご２が対象乗場１１の階層の１つ手前の階層の乗場１１を通過したか否かを判定する（Ｓ７）。そして待ち時間演算部２６は、この判定で否定結果を得るとステップＳ３へ戻り、この後、ステップＳ３〜ステップＳ７の処理を繰り返す。
【００５４】
そして待ち時間演算部２６は、やがて対象エレベータ１の乗りかご２が対象乗場１１の１つ手前の階層の乗場１１を通過することによりステップＳ７で肯定結果を得ると、対象エレベータ１の乗りかご２内の乗客の中に対象乗場１１において降車する乗客がいるか否かを判定する（Ｓ８）。
【００５５】
具体的には、待ち時間演算部２６は、対象エレベータ１の乗りかご２内の荷重を荷重検出部２３に問い合わせる。また待ち時間演算部２６は、そのときその乗りかご２内の乗客が指定している行先階を行先階検出部２４に問合せる。そして待ち時間演算部２６は、当該乗りかご２におけるかご内操作盤４の行先階釦４Ａにおいて、対象乗場が行先階として押圧操作されており、かつ、荷重センサ３が荷重を検知しているか否かに基づいて降車客がいるか否かを判定する。
【００５６】
そして待ち時間演算部２６は、この判定で肯定結果を得ると、降車客表示制御部２８を呼び出し、呼び出した降車客表示制御部２８に対象乗場１１での降車客がいることを通知する。かくして、このとき降車客表示制御部２８は、降車客表示部１５を赤色に点滅発光させる（Ｓ９）。
【００５７】
これに対して、待ち時間演算部２６は、ステップＳ７で否定結果を得ると、降車客表示制御部２８を呼び出し、呼び出した降車客表示制御部２８に対象乗場１１での降車客がいいないことを通知する。かくして、このとき降車客表示制御部２８は、降車客表示部１５を青色に点滅発光させる（Ｓ１０）。
【００５８】
そして上述のステップＳ９又はステップＳ１０の処理が完了すると、この本乗場案内装置制御処理が終了する。
【００５９】
なお、乗場扉１３が開き始めてから（つまり左側開閉扉１３Ａ及び右側開閉扉１３Ｂが相反する方向にスライドを開始し始めてから）、乗場扉１３が開き終わるまで（つまり左側開閉扉１３Ａ及び右側開閉扉１３Ｂがそれぞれ左側又は右側の戸袋に収納され終わるまで）の間は、待ち時間表示制御部２７や降車客表示制御部２８が上側待ち時間表示部１６及び下側待ち時間表示部１８や降車客表示部１５を点滅発光させるようにしても良い。このようにすることにより、乗りかご２に乗車する乗客に対して戸袋に手を挟まれないように注意を促すことができる。
【００６０】
なお、扉の開く方向を開方向、閉じる方向を閉方向とする。左側開閉扉１３Ａの場合には左方向が開方向、右方向が閉方向となり、右側開閉扉１３Ｂの場合には右方向が開方向、左方向が閉方向となる。
【００６１】
またこの際、待ち時間表示制御部２７が上側待ち時間表示部１６及び下側待ち時間表示部１８のすべての発光体１６ＡＢ，１６ＢＢ，１８ＡＢ，１８ＢＢを点滅発光させるようにしてもよく、このようにすることによって、より強く注意を促すことができる。
【００６２】
さらに、この後、乗場扉１３が閉じる際にも待ち時間表示制御部２７や降車客表示制御部２８が上側待ち時間表示部１６及び下側待ち時間表示部１８や降車客表示部１５を点滅発光させるようにしてもよく、このようにすることにより、乗りかご２に乗車する乗客に対して左側開閉扉１３Ａ及び右側開閉扉１３Ｂに手を挟まれないように注意を促すことができる。
【００６３】
（３）本実施の形態の効果
以上のように、本実施の形態のエレベータ１では、乗場１１の上階指定釦１２Ａ又は下階指定釦１２Ｂが押圧操作された場合に、その乗場１１に停車する乗りかご２が下降しながら当該乗場１１に近づいてくるときには、上側待ち時間表示部１６の各発光部１６ＡＢ，１６ＢＢのうち、その乗りかご２が当該乗場１１に到着するまでの時間に応じた発光部１６ＡＢ，１６ＢＢのみが点滅発光し、その点滅発光する発光部１６ＡＢ，１６ＢＢが降車客表示部１５に近づいていく。またその乗場１１に停車する乗りかご２が上昇しながら当該乗場１１に近づいてくるときには、下側待ち時間表示部１８の各発光部１８ＡＢ，１８ＢＢのうち、その乗りかご２が当該乗場１１に到着するまでの時間に応じた発光部１８ＡＢ，１８ＢＢのみが点滅発光し、その点滅発光する発光部１８ＡＢ，１８ＢＢが降車客表示部１５に近づいていく。
【００６４】
そして乗りかご２がその乗場１１の１つ手前の階層を通過した段階で、その乗りかご２からその乗場１１への降車客がいない場合には降車客表示部１５が青色に点滅発光し、降車客がいる場合には降車客表示部１５が赤色に点滅発光する。
【００６５】
従って、本エレベータ１によれば、乗場１１で乗りかご２の到着を待つ乗客は、乗場扉３０の左右方向の中央に配置されたエレベータ乗場案内装置１４の発光状態に基づいて、待ち時間及び乗りかご２の進行方向並びに降車客の有無を、視線を動かすことなく一括してかつ直感的に把握することができる。
【００６６】
また本実施の形態のエレベータ１によれば、かかる上側待ち時間表示部１６を構成する左上側待ち時間表示部１６Ａ及び右上側待ち時間表示部１６Ｂや、かかる下側待ち時間表示部１８を構成する左下側待ち時間表示部１８Ａ及び右下側待ち時間表示部１８Ｂ、並びに降車客表示部１５を構成する左側降車客表示部１５Ａ及び右側降車客表示部１５Ｂが乗場扉１３の左側開閉扉１３Ａの右端部及び右側開閉扉１３Ｂの左端部に設けられているため、乗場扉１３が開く際に戸袋に手を引き込まれないよう乗客に注意を促したり、乗場扉１３が閉じる際に左側開閉扉１３Ａ及び右側開閉扉１３Ｂに手を挟まれないよう乗客に注意を促すことができ、その分エレベータ１の安全性を向上させることもできる。
【００６７】
（４）他の実施の形態
なお上述の実施の形態においては、両開きである乗場扉１３における乗りかご２の上下方向の中央に左右対称にエレベータ乗場案内装置１４を設けた場合について述べたが、本発明はこれに限らず、この他種々のエレベータに広く適用することができる。
【００６８】
例えば、図５に示すような左側開閉扉３０Ａ及び右側開閉扉３０Ｂを有する右方向に開く片開きの乗場扉３０について本発明を適用しても良い。左側開閉扉３０Ａは右側降車客表示部１５Ｂ、右上側待ち時間表示部１６Ｂ及び右下側待ち時間表示部１８Ｂを右側開閉扉１３Ｂと同様に備える。また左方向に開く片開きの乗場扉に適用した場合には、右側開閉扉は、左側降車客表示部１５Ａ、左上側待ち時間表示部１６Ａ及び左下側待ち時間表示部１８Ａを左側開閉扉１３Ａと同様に備える。
【００６９】
さらに上述の実施の形態においては、降車客表示部１５の上下にそれぞれ上側待ち時間表示部１６及び下側待ち時間表示部１８を設ける場合について述べたが、本発明はこれに限らず、最上階の階層の乗場扉１３には、図６（Ａ）に示すように、降車客表示部１５（左側降車客表示部１５Ａ及び右側降車客表示部１５Ｂ）と、下側待ち時間表示部１８（左下側待ち時間表示部１８Ａ及び右下側待ち時間表示部１８Ｂ）とのみが配設されて上側待ち時間表示部１６（左上側待ち時間表示部１６Ａ及び右上側待ち時間表示部１６Ｂ）は配設されず、最下階の階層の乗場扉１３には、図６（Ｂ）に示すように、降車客表示部１５及び上側待ち時間表示部１６のみが配設されて下側待ち時間表示部１８は配設されないようにしても良い。
【００７０】
さらに上述の実施の形態においては、経路内のいずれかの階層を行先階として指定しているか否かを判定し、必要となる時間を待ち時間に加味する場合について述べたが、本発明はこれに限らず、呼び釦１２Ｃの押圧操作の数に応じた時間を待ち時間にさらに加味しても良い。
【００７１】
具体的には、経路内の乗場１１において、対象エレベータ１の乗りかご２の進行方向と同じ呼び釦１２Ｃの押圧操作によって停車が必要となった階であって、かつ、対象エレベータ１の乗りかご２において経路内の行先階に指定されていない階の数に応じた時間を待ち時間にさらに加味しても良い。
【００７２】
さらに上述の実施の形態においては、上側待ち時間表示部１６及び下側待ち時間表示部１８の発光部１６ＡＢ，１６ＢＢ，１８ＡＢ，１８ＢＢを円形状に形成する場合について述べたが、本発明はこれに限らず、図６（Ｃ）に示すように、上側待ち時間表示部４１及び下側待ち時間表示部４３の発光部４１ＡＢ，４１ＢＢ，４３ＡＢ，４３ＢＢを三角形状や矢印といった乗りかご２の進行方向を表す形状に形成するようにしても良い。これにより乗場１１にいる乗客に乗りかご２の進行方向をより直感的に把握させることができる。
【００７３】
さらに上述の実施の形態においては、降車客表示部１５が乗場１１での降車客の有無によって点滅表示の色の種類を変える場合について述べたが、本発明はこれに限らず、図６（Ｄ）の左側降車客表示部４５Ａ及び右側降車客表示部４５Ｂから構成される降車客表示部４５に示すように、人型マーク４５Ｃをカバー部材に表示しておき、降車客がいる場合は点滅表示に加えて、人型マーク４５Ｃを浮かび上がらせるように表示させても良い。
【００７４】
また図６（Ｅ）の左側降車客表示部４６Ａ及び右側降車客表示部４６Ｂから構成される降車客表示部４６に示すように、文字列４６Ｃとして「降車客有」と文字をカバー部材に表示しおき、降車客がいる場合は点滅表示に加えて、文字列４６Ｃを浮かび上がらせるように表示させても良い。このようにすることによって、乗場１１にいる乗客により強く注意を促すことができる。
【００７５】
さらに上述の実施の形態においては、エレベータ乗場案内装置１４を乗場扉１３の左右方向の中央に対して、左側降車客表示部１５Ａ、左上側待ち時間表示部１６Ａ及び左下側待ち時間表示部１８Ａと右側降車客表示部１５Ｂ、右上側待ち時間表示部１６Ｂ及び右下側待ち時間表示部１８Ｂとで同一の表示を行う場合について述べたが、本発明はこれに限らず、片側（例えば左側降車客表示部１５Ａ、左上側待ち時間表示部１６Ａ及び左下側待ち時間表示部１８Ａ）のみ点灯又は点滅表示として他方（例えば右側降車客表示部１５Ｂ、右上側待ち時間表示部１６Ｂ及び右下側待ち時間表示部１８Ｂ）は消灯表示としても良い。
【００７６】
さらに上述の実施の形態においては、上側待ち時間表示部１６及び下側待ち時間表示部１８の発光部１６ＡＢ，１６ＢＢ，１８ＡＢ，１８ＢＢの点灯箇所を待ち時間の経過に応じて変える場合について述べたが、本発明はこれに限らず、上側待ち時間表示部１６及び下側待ち時間表示部１８の発光部１６ＡＢ，１６ＢＢ，１８ＡＢ，１８ＢＢの点灯数を待ち時間の経過に応じて変えるようにしても良い。
【００７７】
さらに上述の実施の形態においては、待ち時間演算部２６が対象乗場１１の直前の乗場１１を乗りかご２が通過した時点で乗客の有無を判定する場合について述べたが、本発明はこれに限らず、待ち時間演算部２６がかご内操作盤４の当該乗場１１に対応する行先階の行先階釦４Ａが押圧操作された時点で乗客がいると判定しても良い。
【００７８】
本発明は、上述の待ち時間や降車客の有無の表示方法に限らず、種々の表示方法を広く適用することができる。
【符号の説明】
【００７９】
１……エレベータ、２……乗りかご、３……荷重センサ、４……かご内操作盤、５……釣合錘、６……巻上機、７……制御装置、８……主ロープ、９……昇降路、１０……テールコード、１１……乗場、１２……乗場操作盤、１３，３０……乗場扉、１４……エレベータ乗場案内装置、１５，３２，４５，４６……降車客表示部、１６，３３，４１……上側待ち時間表示部、１８，３５，４３……下側待ち時間表示部、２０……ＣＰＵ、２１……メモリ、２２……乗場案内装置制御プログラム、２３……荷重検出部、２４……行先階検出部、２５……乗場呼び検出部、２６……待ち時間演算部、２７……待ち時間表示制御部、２８……降車客表示制御部、２９……駆動制御部。
【図１】
2018154420.tif 000003
【図２】
2018154420.tif 000004
【図３】
2018154420.tif 000005
【図４】
2018154420.tif 000006
【図５】
2018154420.tif 000007
【図６】
2018154420.tif 000008